(57)【要約】【課題】ユーザが記録されている動画像の再生途上で、所望のシーンを検索する際に、その再生を中断することがある。【解決手段】再生中の動画像を主画面に表示するとともに、所望のシーンを検索する際のインデックスとなるサムネイル画像を複数表示する。また、表示されるサムネイル画像は、動画像の進行に応じて所定のタイミングで更新される。【選択図】　　　　図１
2004072727.tif 000002
【特許請求の範囲】
【請求項１】
動画像が表示される際に、複数の縮小画像を前記動画像の進行と時間関係が認識可能に表示させるよう制御するステップと、
表示された縮小画像を、前記動画像の進行に応じて更新させるよう制御するステップと、
を有することを特徴とする画像処理方法。
【請求項２】
動画像が表示される際に、複数の縮小画像を前記動画像の進行と時間関係が認識可能に、前記動画像が表示される画面と同一画面に表示する表示制御部と、
前記動画像と同一画面に表示される縮小画像を、前記動画像の進行に応じて更新する縮小画像更新部と、
を有することを特徴とする画像処理装置。
【請求項３】
動画像信号を取得し動画像を構成する単位画像を抽出する画像抽出部と、
前記動画像の所望のシーンを検索する際に利用するインデックス画像の原画像を、前記画像抽出部で抽出された単位画像から選定する画像選定部と、
前記動画像信号を保持する第一のデータ記録部と、
前記選定された原画像のサイズを縮小することでインデックス画像を生成するインデックス画像生成部と、
前記インデックス画像を前記原画像と関連づけて記録し保持する第二のデータ記録部と、
前記動画像の進行に応じて所定のインデックス画像を前記第二のデータ記録部より選定するインデックス画像特定部と、
前記動画像の進行に応じて前記インデックス画像を更新させるよう制御するインデックス更新部と、
を有することを特徴とする画像記録再生装置。
【請求項４】
符号化データを取得し動画像を構成する単位画像を復号する第一のデコード部と、
前記動画像の所望のシーンを検索する際に利用するインデックス画像の原画像を、前記第一のデコード部で復号された単位画像から選定する画像選定部と、
前記符号化データを保持する第一のデータ記録部と、
前記選定された原画像のサイズを縮小することでインデックス画像を生成するインデックス画像生成部と、
前記インデックス画像を画像内符号化し前記インデックス画像のデータ量を圧縮するエンコード部と、
前記符号化されたインデックス画像を前記原画像と関連づけて保持する第二のデータ記録部と、
前記動画像の進行にあわせて、所定のインデックス画像を選定し復号する第二のデコード部と、
前記動画像の進行に応じて復号された前記インデックス画像を更新させるよう制御するインデックス更新部と、
を有することを特徴とする画像記録再生装置。
【請求項５】
前記動画像との時間関係が認識できるように、前記インデックス画像を用いて構成されるインデックス表示領域を生成するインデックス領域生成部と、
前記動画像と前記インデックス表示領域を同一画面に配し表示させるよう制御する表示制御部と、
を更に有することを特徴とする請求項３または４に記載の画像記録再生装置。
【請求項６】
前記第一および前記第二のデコード部は、共通化され単一の構成で実現されることを特徴とする請求項４または５に記載の画像記録再生装置。
【請求項７】
ＭＰＥＧに準拠して符号化された動画像信号である符号化データを取得し、動画像を構成する単位画像を復号する第一のＭＰＥＧデコーダと、
前記動画像の所望のシーンを検索する際に利用するインデックス画像の原画像を前記第一のＭＰＥＧデコーダで復号された単位画像から選定する画像選定部と、
前記符号化データを保持する第一のデータ記録部と、
前記選定された単位画像のサイズを縮小することでインデックス画像を生成するインデックス画像生成部と、
前記インデックス画像を画像内符号化するＭＰＥＧエンコーダと、
前記符号化されたインデックス画像をその原画像と関連づけて保持する第二のデータ記録部と、
所定のインデックス画像を復号する第二のＭＰＥＧデコーダと、
前記動画像の進行との時間関係が認識できるように、前記復号されたインデックス画像を用いて構成されるインデックス領域を生成するインデックス領域生成部と、
前記インデックス領域を表示させるよう制御する表示制御部と、
を有することを特徴とする画像記録再生装置。
【請求項８】
前記第一および前記第二のＭＰＥＧデコーダは、共通化され単一の構成で実現されることを特徴とする請求項７に記載の画像記録再生装置。
【請求項９】
ＭＰＥＧに準拠して符号化された動画像信号を含むトランスポートストリームに多重化され所定の変調が施されたデジタルテレビジョン放送の信号波を受信し、その信号波をトランスポートストリームに復調するチューナ部と、
前記トランスポートストリームから前記動画像信号を符号化データとして分離するＴＳ分離部と、
前記符号化データを取得し、動画像を構成する単位画像を復号する第一のＭＰＥＧデコーダと、
前記符号化された動画像信号を符号化データとして保持する第一のデータ記録部と、
前記動画像の所望のシーンを検索する際に利用するインデックス画像の原画像を前記第一のＭＰＥＧデコーダで復号された単位画像から選定する画像選定部と、
前記選定された単位画像のサイズを縮小することでインデックス画像を生成するインデックス画像生成部と、
前記インデックス画像を画像内符号化するＭＰＥＧエンコーダと、
前記符号化されたインデックス画像をその原画像と関連づけて保持する第二のデータ記録部と、
所定のインデックス画像を復号する第二のＭＰＥＧデコーダと、
前記動画像の進行との時間関係が認識できるように、前記復号されたインデックス画像を用いて構成されるインデックス領域を生成するインデックス領域生成部と、
前記インデックス領域を表示させるよう制御する表示制御部と、
前記インデックス領域を構成する前記インデックス画像のいずれかがユーザから選択されたとき、そのインデックス画像に対応した画像から動画像の進行を再開するシーン決定部と、
を有することを特徴とするテレビジョン受像機。
【請求項１０】
ＭＰＥＧに準拠して符号化された動画像信号を含むトランスポートストリームに多重化され所定の変調が施されたデジタルテレビジョン放送の信号波を受信し、その信号波をトランスポートストリームに復調するチューナ部と、
前記トランスポートストリームから前記動画像信号を符号化データとして分離するＴＳ分離部と、
前記符号化データを取得し、動画像を構成する単位画像を復号する第一のＭＰＥＧデコーダと、
前記トランスポートストリームを保持する第一のデータ記録部と、
前記動画像の所望のシーンを検索する際に利用するインデックス画像の原画像を前記第一のＭＰＥＧデコーダで復号された単位画像から選定する画像選定部と、
前記選定された単位画像のサイズを縮小することでインデックス画像を生成するインデックス画像生成部と、
前記インデックス画像を画像内符号化するＭＰＥＧエンコーダと、
前記符号化されたインデックス画像をその原画像と関連づけて保持する第二のデータ記録部と、
所定のインデックス画像を復号する第二のＭＰＥＧデコーダと、
前記動画像の進行との時間関係が認識できるように、前記復号されたインデックス画像を用いて構成されるインデックス領域を生成するインデックス領域生成部と、
前記インデックス領域を表示させるよう制御する表示制御部と、
前記インデックス領域を構成する前記インデックス画像のいずれかがユーザから選択されたとき、そのインデックス画像に対応した画像から動画像の進行を再開するシーン決定部と、
を有することを特徴とするテレビジョン受像機。
【請求項１１】
前記第一および前記第二のＭＰＥＧデコーダは、共通化され単一の構成で実現されることを特徴とする請求項９または１０に記載のテレビジョン受像機。
【請求項１２】
前記画像選定部は、所定の時間間隔で前記インデックス画像の原画像を選定することを特徴とする請求項３から８のいずれかに記載の画像記録再生装置。
【請求項１３】
前記画像選定部は、ユーザからの指示に基づいて前記インデックス画像の原画像を選定することを特徴とする請求項３から８のいずれかに記載の画像記録再生装置。
【請求項１４】
前記画像選定部は、前記動画像のシーンが大きく変化するタイミングで前記インデックス画像の原画像を選定することを特徴とする請求項３から８のいずれかに記載の画像記録再生装置。
【請求項１５】
前記画像選定部は、前記動画像の作成者が前記動画像に設けたタイミングで、前記インデックス画像の原画像を選定することを特徴とする請求項３から８のいずれかに記載の画像記録再生装置。
【請求項１６】
前記動画像が複数のチャプターで構成されている場合、前記画像選定部は、前記チャプターの先頭の画像を、前記インデックス画像の原画像として選定することを特徴とする請求項３から８のいずれかに記載の画像記録再生装置。
【請求項１７】
前記動画像が複数のチャプターで構成されておりチャプターに検索用画像が設けられている場合、前記画像選定部は、前記検索用画像を前記インデックス画像の原画像として選定することを特徴とする請求項３から８のいずれかに記載の画像記録再生装置。
【請求項１８】
前記符号化データに含まれる音声データを復号する第三のデコーダを更に有し、
前記画像選定部は、前記第三のデコーダで復号された音声データを参照し、音量が大きく変わるタイミングで前記インデックス画像の原画像を選定することを特徴とする請求項３から８のいずれかに記載の画像記録再生装置。
【請求項１９】
前記画像選定部は、前記インデックス画像の原画像の抽出前の状況に応じて、前記所定の時間間隔を設定することを特徴とする請求項１２に記載の画像記録再生装置。
【発明の詳細な説明】
【０００１】
【発明の属する技術分野】
本発明は、画像記録再生技術に関し、特にユーザが動画像を視聴する際に所望のシーンの検索を支援する技術に関する。
【０００２】
【従来の技術】
近年、ＤＶＤ（Ｄｉｇｉｔａｌ　Ｖｅｒｓａｔｉｌｅ　Ｄｉｓｃ）やハードディスク磁気記録媒体（以下、単に「ハードディスク」とも言う）など、記録されているデータへのランダムアクセスが容易な記録媒体を利用した動画像の記録が普及し始めている。特に、ハードディスクの大容量化と低価格化が進んだことにより、ハードディスクを用いた画像記録再生装置であるハードディスクレコーダが製品化され、更にはテレビジョン受信装置に内蔵されるケースも見られる（例えば、特許文献１参照）。
【０００３】
現在、比較的容易に入手可能な記録容量８０ＧＢ程度のハードディスクを用いた場合、一般的なＶＴＲ並の画質で、３０時間程度の記録が可能で、記録時間を優先したモードでは１００時間近く記録が可能となっている。
【０００４】
【特許文献１】
特開２００１−１７７８０４号公報（全文）
【０００５】
【発明が解決しようとする課題】
上述のような、記録データへのランダムアクセスが容易な記録媒体を使用した画像記録再生装置において、記録されている動画像の所望のシーンを検索する技術として、サムネイル画像を用いる方法がある。これは、動画像からあらかじめ静止画像を選定し所定サイズに縮小してインデックス表示させる。しかしながら、これを利用しても所望のシーンを探し出すのに手間が掛かることがある。また、動画像の再生を一旦中断してインデックス表示画面を呼び出して、所望のシーンを探し出す必要があった。
【０００６】
本発明者は、こうような状況のもと次の認識をするに至った。すなわち、容易に所望のシーンの検索が可能であればユーザの利便性が向上する。また、現在表示されているシーンのすぐ側のシーンであれば、動画像の表示を継続することですぐに所望のシーンが表示され、わざわざ動画像を中断する必要がなくシーンの検索が可能であれば、その検索が容易となり、ユーザの操作を少なくできる。また、検索の対象となるシーンが、現在表示しているシーンから時間的に近い場合、わざわざ動画像の再生を中断するまでもないことがある。
【０００７】
本発明は、このような認識に基づきなされたものであり、その目的は、ユーザが動画像を視聴する際に所望のシーンの検索を支援する技術を提供することにある。
【０００８】
【課題を解決するための手段】
本発明のある態様は、画像処理方法に関する。この方法は、動画像が表示される際に、複数の縮小画像を動画像の進行と時間関係が認識可能に表示させるよう制御するステップと、表示された縮小画像を動画像の進行に応じて更新させるよう制御するステップと、を有する。
【０００９】
ここで縮小画像とは、動画像を構成する単位画像のサイズを縮小した画像を指すが、その縮小方法、および縮小形態は問わない。例えば、画像の縦および横の長さを同比率で縮小してもよいし、更に画像の一部のみを使用してもよい。
【００１０】
また、表示される縮小画像は１枚でもよいし複数枚であってもよい。また、現在表示されているシーンより以降のシーンを示す画像であってもよいし、以前のシーンであってもよいし、更にそれらの組合せであってもよい。また、動画像と同一画面に表示されるよう制御してもよいし、縮小画像のみが表示されるよう制御してもてもよい。
【００１１】
複数の縮小画像が表示されるよう制御される場合、それら画像の間隔は任意である。つまり、例えば、時間的に等間隔であってもよいし、現在表示されているシーンから時間的に離れるに従い、その間隔を拡大してもよい。
【００１２】
動画像の視聴者は、この縮小画像を手掛かりに現在の動画像の表示を中断することなく所望のシーンを検索することができる。探していたシーンが、現在表示されているシーンのすぐ側であれば、わざわざ表示を中断するまでもない。本発明によれば、このような操作を避けることができる。
【００１３】
本発明の別の態様は、画像処理装置に関する。この装置は、動画像が表示される際に、複数の縮小画像を動画像の進行と時間関係が認識可能に、動画像が表示される画面と同一画面に表示されるよう制御する表示制御部と、動画像と同一画面に表示される縮小画像を、動画像の進行に応じて更新されるよう制御する縮小画像更新部と、を有する。
【００１４】
本発明の別の態様は、画像記録再生装置に関する。この装置は、動画像信号を取得し動画像を構成する単位画像を抽出する画像抽出部と、動画像の所望のシーンを検索する際に利用するインデックス画像の原画像を画像抽出部で抽出された単位画像から選定する画像選定部と、動画像信号を保持する第一のデータ記録部と、選定された原画像のサイズを縮小することでインデックス画像を生成するインデックス画像生成部と、インデックス画像を原画像と関連づけて記録し保持する第二のデータ記録部と、動画像の進行に応じて所定のインデックス画像を第二のデータ記録部より選定するインデックス画像特定部と、動画像の進行に応じてインデックス画像を更新させるよう制御するインデックス更新部と、を有する。
【００１５】
第一および第二のデータ記録部として、ＤＶＤなどの光ディスク記録媒体や、ハードディスクなどがある。また、検索に利用されるインデックス画像は、サムネイル画像とも呼ばれる。
【００１６】
インデックス画像の生成のタイミングとして、（１）所定の時間間隔、（２）ユーザからの指示に基づいて、（３）動画像のシーンチェンジ、（４）コマーシャルから本番組への切り替わり、（５）表示フォーマットの切り替わり、（６）動画像の作成者が示したインデックス画像取得ポイント、（７）動画像が複数のチャプターで構成されている場合であれば、チャプターの先頭画像や、チャプターのインデックス画像に連動して、（８）音量の変化点、具体的には、音量が大きく変化する点、などがある。上述の（１）から（３）のタイミングの場合、コマーシャルのシーンを除外して、インデックス画像を生成してもよい。表示フォーマットの切り替わりとは、有効画素数７２０×４８０かつインタレス方式である４８０ｉから、有効画素数１２８０×７２０かつプログレッシブ方式である７２０ｐのフォーマットへ替わるときなどがある。
【００１７】
ここで、インデックス画像は、記録済みの動画像を再生しつつ生成されてもよいし、動画像を新たに記録する際に、その記録とともに生成されてもよい。
【００１８】
インデックス画像の更新タイミングとして、表示されている動画像のシーンがインデックス画像のいずれかに近づいた場合や、一致した場合などがある。また、「時間関係が認識可能」とは、例えば時間的に後ろのインデックス画像から順に、更に表示されている動画像のシーンとの前後関係が分かるようにインデックス画像を配置することなどがある。例えば、表示装置の左側２／３の領域に動画像を表示し、右側１／３の領域に、インデックス画像を前後それぞれ２枚ずつ、上側が動画像の進行方向となるように時系列的に配置する。
【００１９】
本発明の更に別の態様も画像記録再生装置に関する。この装置は、符号化データを取得し動画像を構成する単位画像を復号する第一のデコード部と、動画像の所望のシーンを検索する際に利用するインデックス画像の原画像を第一のデコード部で復号された単位画像から選定する画像選定部と、符号化データを保持する第一のデータ記録部と、選定された原画像のサイズを縮小することでインデックス画像を生成するインデックス画像生成部と、インデックス画像を画像内符号化（「フレーム内符号化」とも言う）しインデックス画像のデータ量を圧縮するエンコード部と、符号化されたインデックス画像を原画像と関連づけて保持する第二のデータ記録部と、動画像の進行にあわせて、所定のインデックス画像を選定し復号する第二のデコード部と、動画像の進行に応じて復号されたインデックス画像を更新させるよう制御するインデックス更新部と、を有する。
【００２０】
また、当該装置は、動画像との時間関係が認識できるように、復号されたインデックス画像を複数用いて構成されるインデックス表示領域を生成するインデックス領域生成部と、動画像とインデックス表示領域を同一画面に配し表示させるよう制御する表示制御部と、を更に有してもよい。また、第一および第二のデコード部は、共通化され単一の構成で実現されてもよい。また、インデックス表示領域は、ＯＳＤ（Ｏｎ　Ｓｃｒｅｅｎ　Ｄｉｓｐｌａｙ）として動画像の上に表示させるよう制御されてもよい。その場合、視聴者の動画像の視認性が考慮されることが望ましい。
【００２１】
動画像を画像記録再生装置に記録する際や、画像記録再生装置に記録された動画像を再生する際に、任意の間隔や、シーンチェンジ、あるいは視聴者の好みのタイミングで、あらかじめインデックス画像を生成し符号化した上で第二のデータ記録部に記録する。つづいて、動画像を再生する際に、動画像の進行に応じてインデックス画像が選定され復号される。第一および第二のデコード部が共通化される場合、動画像の復号処理の空き時間を利用してインデックス画像が復号される。
【００２２】
インデックス画像はその原画像である画像が記録されている記録媒体の記録アドレスと関連づけて記録され、ユーザが選択したインデックス画像に関連づけられている記録アドレスから表示すべき画像を選定し動画像の表示場面をその画像に移動するシーン決定部を有してもよい。動画像の符号化手法として、ＭｏｔｉｏｎＪＰＥＧ（Ｊｏｉｎｔ　Ｐｈｏｔｏｇｒａｐｈｉｃ　Ｃｏｄｉｎｇ　Ｅｘｐｅｒｔｓ　Ｇｒｏｕｐ）やＭＰＥＧ（Ｍｏｖｉｎｇ　Ｐｉｃｔｕｒｅ　Ｅｘｐｅｒｔｓ　Ｇｒｏｕｐ）２、ＭＰＥＧ４が挙げられるがこれに限る趣旨ではない。また、インデックス画像の圧縮手法として、ＭＰＥＧやＪＰＥＧ、ＧＩＦ（Ｇｒａｐｈｉｃｓ　Ｉｎｔｅｒｃｈａｎｇｅ　Ｆｏｒｍａｔ）などがある。
【００２３】
本発明の更に別の態様も画像記録再生装置に関する。この装置は、ＭＰＥＧに準拠して符号化された動画像信号である符号化データを取得し、動画像を構成する単位画像を復号する第一のＭＰＥＧデコーダと、動画像の所望のシーンを検索する際に利用するインデックス画像の原画像を第一のＭＰＥＧデコーダで復号された単位画像から選定する画像選定部と、符号化データを保持する第一のデータ記録部と、選定された単位画像のサイズを縮小することでインデックス画像を生成するインデックス画像生成部と、インデックス画像を画像内符号化するＭＰＥＧエンコーダと、符号化されたインデックス画像をその原画像と関連づけて保持する第二のデータ記録部と、所定のインデックス画像を復号する第二のＭＰＥＧデコーダと、動画像の進行との時間関係が認識できるように、復号されたインデックス画像を用いて構成されるインデックス領域を生成するインデックス領域生成部と、インデックス領域を表示させるよう制御する表示制御部と、を有する。
【００２４】
本発明の更に別の態様はテレビジョン受像機に関する。このテレビジョン受像機は、ＭＰＥＧに準拠して符号化された動画像信号を含むトランスポートストリームに多重化され所定の変調が施されたデジタルテレビジョン放送の信号波を受信し、その信号波をトランスポートストリームに復調するチューナ部と、トランスポートストリームから動画像信号を符号化データとして分離するＴＳ分離部と、符号化データを取得し、動画像を構成する単位画像を復号する第一のＭＰＥＧデコーダと、符号化された動画像信号を符号化データとして保持する第一のデータ記録部と、動画像の所望のシーンを検索する際に利用するインデックス画像の原画像を第一のＭＰＥＧデコーダで復号された単位画像から選定する画像選定部と、選定された単位画像のサイズを縮小することでインデックス画像を生成するインデックス画像生成部と、インデックス画像を画像内符号化するＭＰＥＧエンコーダと、符号化されたインデックス画像をその原画像と関連づけて保持する第二のデータ記録部と、所定のインデックス画像を復号する第二のＭＰＥＧデコーダと、動画像の進行との時間関係が認識できるように、復号されたインデックス画像を用いて構成されるインデックス領域を生成するインデックス領域生成部と、インデックス領域を表示させるよう制御する表示制御部と、インデックス領域を構成するインデックス画像のいずれかがユーザから選択されたとき、そのインデックス画像に対応した画像から動画像の進行を再開するシーン決定部と、を有する。
【００２５】
本発明の更に別の態様はテレビジョン受像機に関する。このテレビジョン受像機は、ＭＰＥＧに準拠して符号化された動画像信号を含むトランスポートストリームに多重化され所定の変調が施されたデジタルテレビジョン放送の信号波を受信し、その信号波をトランスポートストリームに復調するチューナ部と、トランスポートストリームから動画像信号を符号化データとして分離するＴＳ分離部と、符号化データを取得し、動画像を構成する単位画像を復号する第一のＭＰＥＧデコーダと、トランスポートストリームを保持する第一のデータ記録部と、動画像の所望のシーンを検索する際に利用するインデックス画像の原画像を第一のＭＰＥＧデコーダで復号された単位画像から選定する画像選定部と、選定された単位画像のサイズを縮小することでインデックス画像を生成するインデックス画像生成部と、インデックス画像を画像内符号化するＭＰＥＧエンコーダと、符号化されたインデックス画像をその原画像と関連づけて保持する第二のデータ記録部と、所定のインデックス画像を復号する第二のＭＰＥＧデコーダと、動画像の進行との時間関係が認識できるように、復号されたインデックス画像を用いて構成されるインデックス領域を生成するインデックス領域生成部と、インデックス領域を表示させるよう制御する表示制御部と、インデックス領域を構成するインデックス画像のいずれかがユーザから選択されたとき、そのインデックス画像に対応した画像から動画像の進行を再開するシーン決定部と、を有する。
【００２６】
本出願人は、特開２００１−２３８１６７号公報で提案した逆順再生技術を１チップのＬＳＩ（Ｌａｒｇｅ−Ｓｃａｌｅ　Ｉｎｔｅｇｒａｔｉｏｎ）回路として製品化している。このＬＳＩは２チャンネルのＭＰＥＧ２ストリームを復号する能力を有するＭＰＥＧ２デコーダとＭＰＥＧエンコーダを備えている。このＬＳＩを利用することで、本発明は低コストで実現される。
【００２７】
なお、以上の構成要素の任意の組合せ、本発明の表現を方法、装置、システム、記録媒体などの間で変換したものもまた、本発明の態様として有効である。
【００２８】
【発明の実施の形態】
以下、本発明に好適な実施の形態１〜５をもとに説明する。これら実施の形態において、ハードディスクに記録されたデジタルテレビジョン放送が再生される際に、検索用に縮小されたインデックス画像（以下、「サムネイル画像」とも言う）を時系列的に表示し、ユーザが所望のシーンを指定する際の支援をする。
【００２９】
一般に、ハードディスクなどの記録媒体に記録された番組を視聴中に、ユーザが同一番組の別のシーンに移りたい場合、従来はコマ送り再生して所望のシーンが再生されるのを待つか、一旦、再生を中断しサムネイル画像が表示される画面を呼び出して、所望のシーンを呼び出す必要があった。
【００３０】
そこで、実施の形態では、現在再生中の動画像を表示するとともにサムネイル画像を複数同一画面に表示する。また、表示されるサムネイル画像は、動画像の進行に応じて所定のタイミングで切り替わる。以下、再生中の動画像を主画像と呼ぶ。また、主画像が表示されている領域を主画面と呼び、上述のサムネイル画像が複数表示される領域をサムネイルフレームと呼ぶ。通常の再生では、主画面のみが表示され、ユーザの指示に応じて主画像とサムネイルフレームが同一画面に表示される。
【００３１】
ユーザは、表示されたサムネイル画像の中にジャンプしたいシーンがあれば、リモートコントローラ（以下、単に「ＲＣ」とも略す）等のインタフェイス手段を用いて、その画像を選択する。つづいて、選択されたサムネイル画像に対応するシーンから主画面に表示すべき画像の復号が再開され表示される。所望のシーンが存在しない場合、ユーザの指示により、別のサムネイル画像がデコードされ新たなサムネイルフレームが生成され表示される。
【００３２】
図１は、表示装置１２において主画像ＭＩとサムネイルフレームＴＦに第１〜第３サムネイル画像ＴＮ１〜ＴＮ３がそれらの時系列関係が認識可能に同一画面上に配置され表示されている状態を示している。
【００３３】
第１サムネイル画像ＴＮ１は、主画像ＭＩより時間的に以前のシーンに対応しており、一方、第２サムネイル画像ＴＮ２および第３サムネイル画像ＴＮ３は主画像ＭＩより時間的に以降のシーンに対応している。
【００３４】
図２は、主画像ＭＩと第１〜第６サムネイル画像ＴＮ１〜ＴＮ６の時系列関係を示している。例えば、図１において主画像ＭＩは、第１サムネイル画像ＴＮ１と第２サムネイル画像ＴＮ２の間に位置している。このため、サムネイルフレームＴＦには、第１〜第３サムネイル画像ＴＮ１〜ＴＮ３が配置される。これらサムネイル画像は、主画像ＭＩの進行に連動して更新される。例えば、主画像ＭＩが第２サムネイル画像ＴＮ２に達した場合や、所定の間隔まで達した場合、図３に示すように、第１〜第３サムネイル画像ＴＮ１〜ＴＮ３は更新され、それぞれ新たに第２〜第４サムネイル画像ＴＮ２〜ＴＮ４が表示される。
【００３５】
また、ユーザの指示を受け、図４に示すように主画像ＭＩが第１サムネイル画像ＴＮ１と第２サムネイル画像ＴＮ２の間に存在しながら、サムネイルフレームＴＦに第４〜第６サムネイル画像ＴＮ４〜ＴＮ６が配置されてもよい。
【００３６】
以下、実施の形態１〜５は、上述のシーン検索を実現する具体例である。ここでは、デジタルテレビジョン放送の受信装置およびハードディスクによる画像録画装置を備えるテレビジョン受信装置を想定する。
【００３７】
（実施の形態１）
図５は、実施の形態１に係るテレビジョン受信装置１０の構成を示すブロック図である。テレビジョン受信装置１０は表示装置１２、チューナ部１４、画像記録再生部１６、およびリモコン受光部６０を備える。リモコン受光部６０は、ユーザのＲＣ６２の操作による当該装置への指示を受け付ける。受け付けた指示は、後述の制御コア回路５０により当該テレビジョン受信装置１０の各構成要素に対して制御信号として送られる。
【００３８】
チューナ部１４は、更に、アンテナ１８において受信したＲＦ（Ｒａｄｉｏ　Ｆｒｅｑｕｅｎｃｙ）信号をベースバンド信号に変換するＲＦ部２２、得られたベースバンド信号を復調する復調部２４、およびエラー訂正部２６を備える。チューナ部１４から出力される信号は、トランスポートストリーム（以下、単に「ＴＳ」と略す）と称し、このＴＳにはデジタルテレビジョン放送の規格に準じ動画像信号や音声信号、データ放送で使用する全てのデータが多重化されている。
【００３９】
画像記録再生部１６は、ＴＳ分離部２８、ハードディスク３０、第１ＭＰＥＧデコーダ３２、第２ＭＰＥＧデコーダ３４、ＭＰＥＧエンコーダ３６、画像選定部３８、データ量低減部４０、サムネイル領域生成部４２を備える。なお、画像記録再生部１６は、テレビジョン受信装置１０に含まれる構成に限らず、単体で製造および販売されてもよい。
【００４０】
ＴＳ分離部２８は、多重化されている信号を動画像信号、音声信号などＴＳ内に含まれている各種情報に対応する信号に分離する。本実施の形態に特徴的であるのは、動画像信号であるので、以降動画像信号についてのみ記述し、音声信号など動画像信号以外の信号に関する記述は省略する。ＴＳ分離部２８において、分離された動画像信号および音声信号はそれぞれＭＰＥＧ２形式で符号化された符号化画像データおよび符号化音声データである。ＴＳ分離部２８において分離された符号化画像データは、ハードディスク３０と第１スイッチ回路ＳＷ１に伝達される。
【００４１】
ハードディスク３０は、符号化画像データを保持する符号化画像データ領域４４およびサムネイル画像として利用される縮小画像が更に画像内符号化されたのち保持されるサムネイル画像データ領域４６を備える。第１ＭＰＥＧデコーダ３２および第２ＭＰＥＧデコーダ３４は、ＭＰＥＧ２形式で符号化された画像データを復号する。
【００４２】
画像選定部３８は、復号された動画像からサムネイル画像として利用する画像を選定する。選定のタイミングは、所定の時間間隔やシーンチェンジが存在する際に行われる。
【００４３】
選定のタイミングが所定の時間間隔である場合、その時間間隔は、録画前の状況や、サムネイル画像の選定開始前の状況に応じて設定される。例えば、以下の（１）から（４）いずれかの条件から選択される。
（１）１回の録画時間に応じて設定する。例えば、録画時間が３０分であれば、時間間隔を５分とし、録画時間が１２０分であれば時間間隔を１５分とする。これによって、録画時間に応じて、過不足なくサーチポイントとしてサムネイル画像に利用する画像を選定することができる。
（２）録画する番組の種類に応じて設定する。例えば、録画する番組がスポーツ番組であれば、時間間隔を１５分とし、ドラマの番組であれば、時間間隔を５分とする。番組の種類によっては、内容の展開が遅いケースもあり、そのような場合、サムネイル画像の時間間隔を短くしても、サーチポイントとしてそれほど有効でないポイントがサムネイル画像として選定されてしまい、その処理や記憶容量が無駄になりかねない。そこで番組の種類に応じて時間間隔を設定することで、録画する番組の種類に最適な時間間隔でサムネイル画像として利用する画像を選定することができる。
（３）ハードディスク３０の残りの記憶容量に応じて設定する。例えば、ハードディスク３０の記憶容量に余裕がある場合は、時間間隔を１分とし、記憶容量が少なくなるに応じて、２分、５分、１０分とする。これによって、録画中にハードディスク３０の記録容量が不足することを防止できる。
（４）視聴者が録画予約する際に設定する。これによって、視聴者の意志に従ってサムネイル画像を取得する時間間隔を決定することができる。
【００４４】
画像選定部３８は、第１ＭＰＥＧデコーダ３２において復号された動画像からサムネイル画像に利用する画像の選定のタイミングとして、番組送信側、つまりコンテンツ作成側が示したサムネイル画像取得ポイントを利用してもよい。サムネイル画像取得ポイントは、例えば、番組の各コーナーの開始点やタイトルバックが挿入されているタイミング等である。番組送信側が意図して選択したサーチポイントを収集することで、より適切なシーンサーチを実現できる。
【００４５】
画像選定部３８は、番組が複数のチャプターから構成されていれば、各チャプターの先頭画像をサムネイル画像として利用したり、各チャプターにインデックス画像が用意されていれば、そのインデックス画像をサムネイル画像として利用してもよい。これによって、視聴者は、隣接するチャプター画像を見ながら所望のシーンを検索することができる。また、チャプター画面で検索してから見たいシーンを検索するという２ステップの操作が同時に実現できる。
【００４６】
画像選定部３８がどのようなタイミングでサムネイル画像を生成するかは、視聴者が、上述の条件から選択してテレビジョン受信装置１０に設定する構成とする。ユーザが設定した条件に基づいて画像選定部３８は、サムネイル画像を選定する。
【００４７】
データ量低減部４０は、画像選定部３８において選定された画像のサイズをサムネイル画像として十分な画像サイズに変換することにより、そのデータ量を低減しサムネイル画像を生成する。この際に、サイズのみでなく使用される色数を、例えば１６ビットから８ビットなどに低減してもよい。
【００４８】
ＭＰＥＧエンコーダ３６は、画像選定部３８において選定され、データ量低減部４０においてデータ量が低減されたサムネイル画像に対して画像内符号化による圧縮を行う。圧縮されたサムネイル画像は、その原画像が復号される前に、符号化データとし符号化画像データ領域４４に記録されている記録アドレスとともにサムネイル画像データ領域４６に記録される。ここでは、空間周波数に着目する圧縮手法、具体的にはＭＰＥＧ２規格Ｉピクチャに準じて画像が符号化圧縮される。サムネイル領域生成部４２は、第２ＭＰＥＧデコーダ３４にて復号された複数のサムネイル画像で構成されるサムネイルフレームを生成する。
【００４９】
画像記録再生部１６は、更に、第１スイッチ回路ＳＷ１、第２スイッチ回路ＳＷ２、制御コア回路５０および表示制御部５２を備える。表示制御部５２は、サムネイル領域生成部４２で生成されたサムネイルフレームを主画面とともに表示する。このとき、表示画面においてサムネイルフレームを表示するための領域を確保するために、主画面は適当なサイズに変換される。
【００５０】
制御コア回路５０は、第１ＭＰＥＧデコーダ３２、第２ＭＰＥＧデコーダ３４、ＭＰＥＧエンコーダ３６、サムネイル領域生成部４２および表示制御部５２をはじめとして画像記録再生部１６の各構成要素の動作を制御する。制御コア回路５０として、一般には、中央演算処理装置（ＣＰＵ：Ｃｅｎｔｒａｌ　Ｐｒｏｃｅｓｓｉｎｇ　Ｕｎｉｔ）が挙げられる。各種制御指示プログラムは、ハードディスク３０やＲＯＭ（Ｒｅａｄ　Ｏｎｌｙ　Ｍｅｍｏｒｙ）（図示せず）などにあらかじめ記述されている。
【００５１】
第１スイッチ回路ＳＷ１は、制御コア回路５０の制御に従って第１ＭＰＥＧデコーダ３２の入力切替えを行い、現在放送中の画像データを表示するか、ハードディスク３０に記録されている画像データを表示するかによりその回路が切り替わる。第１ノードＮ１側の接続が確立されると、その時点でチューナ部１４において受信されＴＳストリームから分離された符号化データが第１ＭＰＥＧデコーダ３２に送られる。一方、第２ノードＮ２側に接続が確立されると、ハードディスク３０から符号化データが読み出され第１ＭＰＥＧデコーダ３２に送られる。
【００５２】
第２スイッチ回路ＳＷ２は、同様に制御コア回路５０の制御に従って第１ＭＰＥＧデコーダ３２にて復号された動画像およびサムネイル領域生成部４２で生成されたサムネイルフレームを選択的に表示制御部５２に送る。第３ノードＮ３の接続が確立されると、第１ＭＰＥＧデコーダ３２で復号された動画像が表示制御部５２に送られ、一方、第４ノードＮ４側の接続が確立されると、サムネイルフレームが表示制御部５２に送られる。サムネイルフレームを表示しない場合は、第３ノードＮ３側の接続が常時確立される。サムネイルフレームの表示がユーザより要求されている場合、サムネイルフレームの更新のタイミング毎に、第４ノードＮ４の接続が確立される。
【００５３】
更に、本図では図示しないが当該装置は各構成要素の処理におけるワークエリアとして機能するメモリを有する。
【００５４】
以上の構成をもとに、図６に示すフローチャートを用いて、サムネイル画像を利用したシーンの検索手順を示す。また、サムネイル画像が表示される際の、表示装置における配置は図１に示した配置とする。
【００５５】
ユーザがサムネイルフレームの表示を選択した場合、第２ＭＰＥＧデコーダ３４は、サムネイル画像データ領域４６から主画像に応じた３枚のサムネイル画像を読み出し復号する（Ｓ１０）。つづいて、復号されたサムネイル画像をもとに、サムネイル領域生成部４２は、サムネイルフレームＴＦを生成する（Ｓ１２）。生成されたサムネイルフレームＴＦは、表示制御部５２により主画像とともに表示装置１２に表示される（Ｓ１４）。
【００５６】
表示されたサムネイル画像のいずれかがユーザにより選択された場合（Ｓ１６のＹ）、主画面は選択されたサムネイル画像に対応づけられたシーンにジャンプして（Ｓ１８）、サムネイル画像の表示が終了する。一方、ユーザからサムネイル画像の選択がない場合（Ｓ１６のＮ）、サムネイル画像の更新タイミングでなければ（Ｓ２０のＮ）、Ｓ１４のステップに戻りサムネイルフレームの表示が継続される。更新のタイミングであれば（Ｓ２０のＹ）、Ｓ１０のステップに戻り、新たなサムネイル画像の読み出され、以降、同様の処理がなされる。
【００５７】
以上、本実施の形態１によれば、ユーザは現在表示されている動画像の表示を中断することなく、所望のシーンの検索ができる。
【００５８】
（実施の形態２）
実施の形態１では、サムネイル画像の生成は、所定の時間間隔や、シーンチェンジが存在する際に行われた。実施の形態２では、サムネイル画像生成がユーザからの指示に基づき行われる。サムネイル画像の表示およびシーンの検索に関しては、実施の形態１と同様である。
【００５９】
図７は、実施の形態２に係るテレビジョン受信装置１０の構成を示すブロック図である。この構成は、図５で示した画像記録再生部１６の構成と類似しているので、実施の形態２に特徴的な点のみを説明し、それ以外の説明は省略する。
【００６０】
本実施の形態２では、第１ＭＰＥＧデコーダ３２と画像選定部３８の信号経路途上に第３スイッチ回路ＳＷ３が設けられる。ユーザは、主画像を確認しながらＲＣ６２を用いてサムネイル画像を生成するタイミングを指示する。
【００６１】
指示を受けると、第３スイッチ回路ＳＷ３はオンとなり画像選定部３８がサムネイル画像の原画像を選定する。以降の処理は実施の形態１と同様である。
【００６２】
実施の形態２によると、実施の形態１の効果が得られるとともに、ユーザの希望とするシーンをサムネイル画像として記録できる。
【００６３】
（実施の形態３）
実施の形態１および２では、サムネイル画像の復号のときに、第２ＭＰＥＧデコーダ３４を用いた。実施の形態３では、第１ＭＰＥＧデコーダ３２と第２ＭＰＥＧデコーダ３４を共通化し、一つのＭＰＥＧデコーダとする。
【００６４】
図８は、実施の形態３に係るテレビジョン受信装置１０の構成を示すブロック図である。本実施の形態に特徴的な構成は、図７に示した画像記録再生部１６における第２ＭＰＥＧデコーダ３４を省き、上述のように、第２ＭＰＥＧデコーダ３４の機能を第１ＭＰＥＧデコーダ３２が行う。したがって、動画像とサムネイル画像の復号が行われる場合、つまり、サムネイルフレームの生成が行われる場合、時分割でそれら符号化データの復号が行われる。
【００６５】
また、第１スイッチ回路ＳＷ１は第５ノードＮ５を更に有する。ハードディスク３０の符号化画像データ領域４４に記録されている符号化画像データを復号して動画像を表示する際、制御コア回路５０の制御に従い、第１スイッチ回路ＳＷ１の第２ノードＮ２側および第２スイッチ回路ＳＷ２の第３ノードＮ３側の接続が確立される。また、サムネイル画像が復号される場合、第１スイッチ回路ＳＷ１の第５ノードＮ５側および第２スイッチ回路ＳＷ２の第４ノードＮ４側の接続が同時に確立される。
【００６６】
実施の形態３によると、実施の形態１および２と同様の効果が得られるとともに、２チャンネルのＭＰＥＧ２ストリームを復号可能なＭＰＥＧ２デコーダを既に有している場合、コストの追加を最小限に抑えて本発明を実現できる。
【００６７】
（実施の形態４）
実施の形態１から３では、ハードディスク３０に記録されるデータは、一旦ＴＳ分離部２８でＴＳから分離された符号化データであった。実施の形態４では、ＴＳがそのままハードディスク３０に記録される。ハードディスク３０の領域中で、ＴＳが記録される領域をＴＳデータ領域６６と呼び、これは実施の形態１から３の符号化画像データ領域４４に相当する。
【００６８】
図９は、実施の形態４に係るテレビジョン受信装置１０の構成を示すブロック図である。この構成は実施の形態２に示したテレビジョン受信装置１０と類似しているので、特に本実施の形態４に特徴的な点を説明する。
【００６９】
ハードディスク３０は、ＴＳより分離された符号化データが記録される符号化画像データ領域４４の代わりに、ＴＳが記録されるＴＳデータ領域６６を備える。また、第１スイッチ回路ＳＷ１をＴＳ分離部２８の前、つまりチューナ部１４側に設けた。この第１スイッチ回路ＳＷ１により、チューナ部１４で受信中のＴＳもしくはＴＳデータ領域６６に記録されているＴＳのいずれかが選択されＴＳ分離部２８に送られる。
【００７０】
実施の形態４では、実施の形態２の構成を変更することでＴＳをハードディスク３０のＴＳデータ領域６６に記録した。当然、実施の形態１および３の構成を同様に変更しＴＳをハードディスク３０のＴＳデータ領域６６に記録する構成にしてもよい。
【００７１】
（実施の形態５）
実施の形態１では、サムネイル画像の生成タイミングは、例えば第１ＭＰＥＧデコーダ３２により復号された画像を参照しシーンチェンジを検出することで求められた。本実施の形態では、音声データが大きく変化する点をサムネイル画像の生成タイミングとする。
【００７２】
図１３は、実施の形態５に係るテレビジョン受信装置１０の構成を示すブロック図である。この構成は実施の形態１に示したテレビジョン受信装置１０と類似しているので、特に本実施の形態に特徴的な点を説明する。
【００７３】
テレビジョン受信装置１０は、ＴＳ分離部２８において分離された符号化音声データを復号する音声デコーダ５４と、復号された音声データを外部に出力する音声出力部５６を備える。音声データがＭＰＥＧ２規格に準じて符号化されており第１ＭＰＥＧデコーダ３２の処理能力が高い場合、第１ＭＰＥＧデコーダ３２が音声デコーダ５４の機能を果たしてもよい。なお、音声デコーダ５４および音声出力部５６は、本来、実施の形態１から４に示したテレビジョン受信装置１０にも備わるが、説明を容易にするために省略した構成要素である。
【００７４】
音声デコーダ５４で復号された音声データは、画像選定部３８および音声出力部５６に伝達される。画像選定部３８は、音声データを参照し、音声データが大きく変化するポイントを、サムネイル画像を選定するタイミングとして決定し、そのタイミングに基づいて、第１ＭＰＥＧデコーダ３２において復号された動画像からサムネイル画像として利用する画像を選定する。なお、本実施の形態の構成を、実施の形態４と同様に変更しＴＳをハードディスク３０のＴＳデータ領域６６に記録する構成にしてもよい。
【００７５】
上述の構成は、ハードウエア的には、任意のコンピュータのＣＰＵ、メモリ、その他のＬＳＩで実現でき、ソフトウエア的にはメモリにロードされた画像処理機能を有するプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００７６】
以上、本発明をいくつかの実施の形態をもとに説明した。これらの実施の形態は例示であり、それらの各構成要素や各処理プロセスの組合せにいろいろな変形例が可能なこと、またそうした変形例も本発明の範囲にあることは当業者に理解されるところである。そうした変形例を挙げる。
【００７７】
実施の形態では、サムネイル画像の時間間隔は等間隔であったが、図１０に示すように主画像ＭＩから時間的に離れるにしたがって、時間間隔が拡大してもよい。
【００７８】
図１０は、主画像ＭＩと６枚の第１〜第６サムネイル画像ＴＮ１〜ＴＮ６の時系列関係を示している。主画像ＭＩは、第３サムネイル画像ＴＮ３と第４サムネイル画像ＴＮ４の間に位置している。第１〜第３サムネイル画像ＴＮ１〜ＴＮ３は、主画像ＭＩより以前のシーンに対応し、第４〜第６サムネイル画像ＴＮ４〜ＴＮ６は、主画像ＭＩより以降のシーンに対応している。
【００７９】
図１１は、主画像ＭＩと第１〜第６サムネイル画像ＴＮ１〜ＴＮ６の表示装置１２における配置を示している。第１サムネイルフレームＴＦ１には第１〜第３サムネイル画像ＴＮ１〜ＴＮ３が含まれ、第２サムネイルフレームＴＦ２には第４〜第６サムネイル画像ＴＮ４〜ＴＮ６が含まれる。主画像ＭＩを中心にして、第１サムネイルフレームＴＦ１は左側に、第２サムネイルフレームＴＦ２は右側に配置され、主画像ＭＩと６枚のサムネイル画像の前後関係が容易に認識可能となっている。
【００８０】
図１２に、本発明を別の観点から着目した画像記録再生装置７０の機能ブロックの構成を示す。画像記録再生装置７０は、入力インタフェイスブロック７２、データブロック７４、動画像ブロック７６、インデックス画像生成ブロック７８、フレーム生成ブロック８０、および表示制御ブロック８４を備える。
【００８１】
以下に、上述の実施の形態１〜５で示した画像記録再生部１６と図１２に示す画像記録再生装置７０の各構成要素の主な対応を示す。動画像ブロック７６には第１ＭＰＥＧデコーダ３２が、データブロック７４にはハードディスク３０が対応する。インデックス画像生成ブロック７８には画像選定部３８、データ量低減部４０、およびＭＰＥＧエンコーダ３６が対応する。また、フレーム生成ブロック８０には第２ＭＰＥＧデコーダ３４とサムネイル領域生成部４２が、表示制御ブロック８４は表示制御部５２と第２スイッチ回路ＳＷ２が対応する。ただし、図示しないが、各構成ブロックは制御コア回路５０に相当するＣＰＵ等の所定の制御回路と共動により、それらの機能が実行される。また、同様に各構成ブロックはそれぞれ共動により機能が実行される。
【００８２】
入力インタフェイスブロック７２は、伝達メディア９０から符号化データを受け付ける。その符号化データは、動画像ブロック７６に送られるか、データブロック７４に記録される。インデックス画像生成ブロック７８は、動画像ブロック７６で復号された動画像よりサムネイル画像として使用する画像を選定し、サムネイル画像を生成し、符号化してデータブロック７４に記録する。
【００８３】
フレーム生成ブロック８０は、所定のサムネイル画像を複数復号し、それらサムネイル画像が動画像との時間関係が認識可能にサムネイルフレームを生成する。生成されたサムネイルフレームは、表示制御ブロック８４により動画像とともに表示装置１２において表示される。また、フレーム生成ブロック８０は、所定の更新タイミングでサムネイルフレームを更新する。ここで、伝達メディア９０には、ＤＶＤ等の蓄積メディア、地上波放送や衛星放送、ＣＡＴＶなどの放送メディアがある。
【００８４】
【発明の効果】
本発明によると、ユーザが動画像を視聴する際に、所望のシーンの検索が可能となる。また、別の観点では動画像の表示を中断せずにシーンの検索が可能となる。更に別の観点では、インデックス画像を更に圧縮する場合、新たに大きな記録容量を必要とすることがないため、コストの追加を抑えつつシーン検索の技術を実現できる。
【図面の簡単な説明】
【図１】表示装置におけるサムネイルフレームと主画像の配置を示す図である。
【図２】サムネイル画像間の時間間隔が等間隔である際の、サムネイル画像と主画像の時系列関係を示す図である。
【図３】表示装置におけるサムネイルフレームと主画像の配置を示す図である。
【図４】表示装置におけるサムネイルフレームと主画像の配置を示す図である。
【図５】実施の形態１に係るテレビジョン受信装置の構成を示すブロック図である。
【図６】サムネイルフレームを表示し、所望のシーンにジャンプする手順を示すフローチャートである。
【図７】実施の形態２に係るテレビジョン受信装置の構成を示すブロック図である。
【図８】実施の形態３に係るテレビジョン受信装置の構成を示すブロック図である。
【図９】実施の形態４に係るテレビジョン受信装置の構成を示すブロック図である。
【図１０】サムネイル画像間の時間間隔が主画像から離れるにしたがって拡大する際の、サムネイル画像と主画像の時系列関係を示す図である。
【図１１】変形例における、表示装置におけるサムネイルフレームと主画像の配置を示す図である。
【図１２】画像記録再生装置の構成を機能ブロックで示した図である。
【図１３】実施の形態５に係るテレビジョン受信装置の構成を示すブロック図である。
【符号の説明】
１０　テレビジョン受信装置、　１２　表示装置、　１４　チューナ部、　１６　画像記録再生部、　１８　アンテナ、　２２　ＲＦ部、　２４　復調部、　２６　エラー訂正部、　２８　ＴＳ分離部、　３０　ハードディスク、　３２　第１ＭＰＥＧデコーダ、　３４　第２ＭＰＥＧデコーダ、　３６　ＭＰＥＧエンコーダ、　３８　画像選定部、　４０　データ量低減部、　４２　サムネイル領域生成部、　４４　符号化画像データ領域、　４６　サムネイル画像データ領域、　５０　制御コア回路、　５２　表示制御部、　５４　音声デコーダ、　５６音声出力部、　６０　リモコン受光部、　６２　ＲＣ、　６６　ＴＳデータ領域、　７０　画像記録再生装置、　７２　入力インタフェイスブロック、　７４データブロック、　７６　動画像ブロック、　７８　インデックス画像生成ブロック、　８０　フレーム生成ブロック、　８４　表示制御ブロック、　９０　伝達メディア。
【図１】
2004072727.tif 000003
【図２】
2004072727.tif 000004
【図３】
2004072727.tif 000005
【図４】
2004072727.tif 000006
【図５】
2004072727.tif 000007
【図６】
2004072727.tif 000008
【図７】
2004072727.tif 000009
【図８】
2004072727.tif 000010
【図９】
2004072727.tif 000011
【図１０】
2004072727.tif 000012
【図１１】
2004072727.tif 000013
【図１２】
2004072727.tif 000014
【図１３】
2004072727.tif 000015